(57)【要約】【課題】サッシ単体で所定の耐風圧性能を得ることができる外付サッシ及び半外付サッシを提供する。【解決手段】本発明にかかる外付サッシ１において、上枠外側補強材２１は、障子の召合わせ位置Ｅに配置され、上枠９の上面に当接する上枠当接片２１ａと上枠９の躯体取付片９ａに重合して躯体４ａに取り付けられる躯体取付片２１ｂを有し、上枠内側補強材２３は、障子の召合わせ位置Ｅに配置され、躯体４ａに取り付けられる躯体取付片２３ｂと上枠９の室内側面に重合して上枠に取り付けられる上枠取付片２３ａとを有し、縦枠外側補強材２５は、縦枠１３の上下方向中間部に配置され、縦枠１３の外周側面に当接する縦枠当接片２５ａと縦枠１３の躯体取付片１３ａに重合して躯体４ｃに取り付けられる躯体取付片２５ｂとを有する。【選択図】図１
2018193727.tif 000002
【特許請求の範囲】
【請求項１】
枠と、障子と、上枠外側補強材と、上枠内側補強材と、縦枠外側補強材とを備え、上枠外側補強材は、障子の召合わせ位置に配置され、上枠の上面に当接する上枠当接片と上枠の躯体取付片に重合して躯体に取り付けられる躯体取付片を有し、上枠内側補強材は、障子の召合わせ位置に配置され、躯体に取り付けられる躯体取付片と上枠の室内側面に重合して上枠に取り付けられる上枠取付片とを有し、縦枠外側補強材は、縦枠の上下方向中間部に配置され、縦枠の外周側面に当接する縦枠当接片と縦枠の躯体取付片に重合して躯体に取り付けられる躯体取付片とを有することを特徴とする外付サッシ。
【請求項２】
枠と、障子と、上枠内側補強材と、縦枠内側補強材とを備え、上枠内側補強材は、障子の召合わせ位置に配置され、躯体に取り付けられる躯体取付片と上枠の室内側面に重合して上枠に取り付けられる上枠取付片とを有し、縦枠内側補強材は、縦枠の上下方向中間部に配置され、躯体に取り付けられる躯体取付片と縦枠の室内側で外周側に突出する室内側突出片に重合して縦枠に取り付けられる縦枠取付片とを有することを特徴とする半外付サッシ。
【発明の詳細な説明】
【技術分野】
【０００１】
本発明は、外付サッシ及び半外付サッシに関する。
【背景技術】
【０００２】
非特許文献１には、外付サッシ及び半外付サッシが開示されている。この種のサッシでは、障子に室内外方向の風圧力が作用して生じる枠変形に対して、サッシ枠の室外側は外壁材で、室内側は木額縁等で枠の変形を抑えていた。
【先行技術文献】
【非特許文献】
【０００３】
【非特許文献１】第９０６頁及び第９０７頁「三協アルミ  ビル建材  サッシ  総合カタログ  ビル用サッシ」カタログＮｏ．ＳＴＢ０３９４Ｂ  三協立山株式会社  三協アルミ社  ２０１５年  ３月発行
【発明の概要】
【発明が解決しようとする課題】
【０００４】
これに対して、近年は、外壁材や木額縁のないサッシ単体で所定の耐風圧性能を持たせることが求められていた。
【０００５】
そこで、本発明は、サッシ単体で所定の耐風圧性能を得ることができる外付サッシ及び半外付サッシの提供を目的とする。
【課題を解決するための手段】
【０００６】
請求項１に記載の発明は、枠と、障子と、上枠外側補強材と、上枠内側補強材と、縦枠外側補強材とを備え、上枠外側補強材は、障子の召合わせ位置に配置され、上枠の上面に当接する上枠当接片と上枠の躯体取付片に重合して躯体に取り付けられる躯体取付片を有し、上枠内側補強材は、障子の召合わせ位置に配置され、躯体に取り付けられる躯体取付片と上枠の室内側面に重合して上枠に取り付けられる上枠取付片とを有し、縦枠外側補強材は、縦枠の上下方向中間部に配置され、縦枠の外周側面に当接する縦枠当接片と縦枠の躯体取付片に重合して躯体に取り付けられる躯体取付片とを有することを特徴とする外付サッシである。
【０００７】
請求項２に記載の発明は、枠と、障子と、上枠内側補強材と、縦枠内側補強材とを備え、上枠内側補強材は、障子の召合わせ位置に配置され、躯体に取り付けられる躯体取付片と上枠の室内側面に重合して上枠に取り付けられる上枠取付片とを有し、縦枠内側補強材は、縦枠の上下方向中間部に配置され、躯体に取り付けられる躯体取付片と縦枠の室内側で外周側に突出する室内側突出片に重合して縦枠に取り付けられる縦枠取付片とを有することを特徴とする半外付サッシである。
【発明の効果】
【０００８】
請求項１に記載の発明によれば、外付サッシは、上枠の障子召合せ位置に上枠外側補強材と上枠内側補強材を躯体に取り付けるとともに、縦枠は上下方向中間部に縦枠外側補強材を躯体に取り付けることで、外付けサッシに正圧や負圧が掛かった場合に、枠に掛かる荷重が補強材を通じて躯体に直接伝わるから、外壁や木額縁に頼らずとも、サッシ単体で耐風圧性を向上させることができる。
【０００９】
請求項２に記載の発明によれば、半外付サッシは、上枠は障子の召合せ框合わせ位置に上枠内側補強材を躯体に取り付けるとともに、縦枠は上下方向中間部に縦枠内側補強材を躯体に取り付けることで、サッシに正圧や負圧が掛かった場合に、枠に掛かかる荷重が補強材を通じて躯体に直接伝わるから、外壁や木額縁に頼らずとも、サッシ単体で耐風圧性が向上する。
【図面の簡単な説明】
【００１０】
【図１】本発明の第１実施の形態にかかる外付サッシであって、障子を開いた状態の縦断面である。
【図２】本発明の第１実施の形態にかかる外付サッシであって、障子を閉じた状態の横断面である。
【図３】図１に示す上枠外側補強材の図であり、（ａ）は室外側から見た正面図、（ｂ）は側面図である。
【図４】図１に示す上枠内側補強材の図であり、（ａ）は室内側から見た正面図、（ｂ）は平面図、（ｃ）は枠外周側から見た側面図である。
【図５】図２に示す縦枠外側補強材の図であり、（ａ）は室外側から見正面図、（ｂ）は平面図、（ｃ）は枠の外周側から見た側面図である。
【図６】図１に示すサッシ及びその周囲の躯体部分を抜き出して示す図であり、室内側から見た正面図である。
【図７】本発明の第２実施の形態にかかる半外付サッシであって、障子を開いた状態の縦断面図である。
【図８】本発明の第２実施の形態にかかる半外付サッシであって、障子を閉じた状態の横断面図である。
【図９】図７に示すサッシ及びその周囲の躯体部分を抜き出して示す図であり、室内側から見た正面図である。
【図１０】本発明の外付サッシ及び半外付サッシにおける各補強材の取り付け位置を、各実施の形態毎に概略的に示す図である。
【図１１】上枠内側補強材の他の例を示した図であり、（ａ）は室内側から見た正面図、（ｂ）は側面図、（ｃ）は平面図である。
【発明を実施するための形態】
【００１１】
以下に、添付図面を参照して本発明の実施の形態を説明するが、まず、図１〜図６を参照して本発明の第１実施の形態について説明する。  
図１、図２及び図６に示すように、本発明の実施の形態にかかる外付サッシ１は、２枚建ての引き違いサッシであり、外障子３と、内障子５と、枠７とを備えている。また、外付サッシ１は、ビル用サッシであり、鉄骨の躯体４に固定するものである。躯体４は、上躯体４ａと、下躯体４ｂと、左右の縦躯体４ｃ、４ｃで外付サッシ１の枠７の外周側を囲んで配置されている。
また、外付サッシ１は、枠７と外障子３及び内障子７の他に、上枠外側補強材２１と、上枠内側補強材２３と、左右の縦枠外側補強材２５、２５とを備えている。
【００１２】
枠７は、上枠９と、下枠１１と、左右の縦枠１３、１３を枠組みしてある。上枠９には上方に突設した躯体取付片９ａが設けてあり、下枠１１には下方に突設した下側躯体取付片１１ａと室内側に突設した室内側躯体取付片１１ｂとが設けてあり、左右の各縦枠１３、１３にはそれぞれ枠７の外周側に突設した躯体取付片１３ａが設けてある。
図２に示すように、外障子３と、内障子５とは外付サッシ１を閉じた状態で、外障子３の召合せ框３ａと内障子５の召合せ框５ａとが係合している。
図１に示すように、上枠９の室内側には上木額縁１５が設けてあり、下枠１１の室内側には下木額縁１７が設けてあり、図２に示すように、左右の各縦枠１３、１３の室内側には縦額縁１９が設けてある。
【００１３】
次に、各補強材２１、２３と、２５について説明する。
図１及び図３に示すように、上枠外側補強材２１は、内障子３と外障子５の召合わせ位置Ｅ（図６参照）で上枠９に配置されており、上枠当接片２１ａと躯体取付片２１ｂとを有し、上枠当接片２１ａと躯体取付片２１ｂとで側面視が略Ｌ字形状を成している。
上枠当接片２１ａには上枠９との当接面にシーラー３１が付されており、躯体取付片２１ｂには、ねじ挿通孔２９が形成されている。
【００１４】
図１及び図４に示すように、上枠内側補強材２３は、内障子３と外障子５の召合わせ位置Ｅ（図６参照）で上枠９の室内側に配置されており、上枠取付片２３ａと躯体取付片２３ｂとを有し、上枠取付片２３ａと躯体取付片２３ｂとで側面視が略Ｌ字形状を成している。尚、図６では、上枠内側補強材２３は省略し、上枠外側補強材２１と、左右の縦枠外側補強材２５、２５を破線で示している。
図４に示すように、上枠取付片２３ａ及び躯体取付片２３ｂには、それぞれねじ挿通孔３３が形成されている。
図２及び図５に示すように、縦枠外側補強材２５は、左右の各縦枠１３、１３の上下方向中間部に配置されており、縦枠当接片２５ａと躯体取付片２５ｂとを有し、縦枠当接片２５ａと躯体取付片２５ｂとで側面視が略Ｌ字形状を成している。
縦枠当接片２５ａには縦枠１３との当接面にシーラー３１が付されており、躯体取付片２１ｂには、ねじ挿通孔３５が形成されている。
【００１５】
次に、枠７の固定について説明する。
図１に示すように、上枠９は、その躯体取付片９ａを第１上枠固定ねじ４１ａで上躯体４ａに固定する。障子の召合せ位置Ｅ（図６参照）では、上枠９の上面と躯体取付片９ａの室外側面に上枠外側補強材２１を配置し、上枠外側補強材２１の上枠当接片２１ａはシーラー３１を介して上枠９の上面に当て、躯体取付片２１ｂは上枠９の躯体取付片９ａに室外側から重合して上枠９の躯体取付片９ａと共に第２上枠固定ねじ４１ｂで上躯体４ａに固定する。
上枠９の室内側面には、上木額アングル４３と上枠内側補強材２３とを取り付ける。
上木額アングル４３は上枠固定片４３ａと上木額固定片４３ｂとで縦断面が略Ｌ字形状を成しており、上枠９の室内側面に上枠固定片４３ａを重ね、上枠固定片４３ａの室内側面に上枠内側補強片２３の上枠取付片２３ａを重ねて室内側から上枠固定ねじ４５ａで固定する。
上枠内側補強材２３は、躯体取付片２３ｂを上躯体４ａに上躯体固定ねじ４５ｂで固定する。尚、躯体取付片２３ｂと上躯体４ａとの間にあるのはスペーサ１４である。
上木額アングル４３の上木額固定片４３ｂは上木額縁１５の下面１５ａに上木額固定ねじ４５ｃで固定する。
【００１６】
下枠１１は、下方に突設した下側躯体取付片１１ａを下躯体４ｂの室外側壁４６に下枠固定ねじ４７ａで固定し、室内側に突設した室内側躯体取付片１１ｂを下躯体４ｂの上壁４８に下枠固定ねじ４７ｂで固定する。
また、下枠１１は、下木額アングル５１を介して下木額縁１７に固定する。下木額アングル５１は、下枠取付片５１ａを下枠１１の室内側面１１ｃに重ねて下枠側ねじ５２ａで下枠１１に固定し、下木額取付片５１ｂを下木額縁１７の上面に重ねて下木額側ねじ５２ｂで固定する。
【００１７】
次に、図２を参照して左右の縦枠１３、１３の固定について説明するが、左右の縦枠１３、１３の固定は略同じであるから、右側（図２において右側）の縦枠１３の固定についてのみ説明する。
縦枠１３は、縦枠外側補強材２５で縦躯体４ｃに固定すると共に、縦木額アングル５３で縦木額縁１９を固定する。
縦枠外側補強材２５は、縦枠取付片２５ａを縦枠１３の外周側面にシーラー３１を介して当接し、躯体取付片２５ｂを縦枠１３の躯体取付片１３ａの室外側面に重合して、縦躯体４ｃの室外側壁５４に躯体固定ねじ５５で固定する。
【００１８】
縦木額アングル５３は、縦枠１３の室内側面に固定する枠取付片５３ａと、縦額縁１９に固定する額縁取付片５３ｂとを有し、枠取付片５３ａと額縁取付片５３ｂとで横断面が略Ｌ字形状に形成されている。
縦木額アングル５３は縦枠１３の室内側面に枠取付片５３ａを重ね、枠取付片５３ａの室内側面に、縦枠固定ねじ５７で縦枠１３に固定する。
【００１９】
次に、第１実施の形態にかかる外付サッシ１の作用効果について説明する。
図１及び図２に示すように、外付けサッシ１の上枠９の障子召合せ位置Ｅ（図６参照）に上枠外側補強材２１と上枠内側補強材２３を躯体４に取り付けるとともに、縦枠１３は上下方向中間部に縦枠外側補強材２５を躯体４に取り付けることで、外付サッシ１に正圧が掛かった場合、上枠９の第１上枠固定ねじ４１ａ部分及び縦枠１３の躯体固定ねじ５５部分を支点として、上枠９の躯体取付片９ａや縦枠１３の躯体取付片１３ａが反時計回りに回転しようとする力が生じるが、その力を、躯体４に固定した上枠外側補強材２１の躯体取付片２１ｂ及び縦枠外側補強材２５の躯体取付片２５ｂで抑えるとともに、上枠内側補強材２３の躯体取付片２３ｂを通じて躯体４に直接伝えることができるので、回転しようとする力の抵抗となって、外壁や木額縁に頼らずとも、サッシ単体で耐風圧性を向上させることができる。また、外付サッシ１に負圧が掛かった場合、上枠９の第１上枠固定ねじ４１ａ部分及び縦枠１３の躯体固定ねじ５５部分を支点として、上枠９の躯体取付片９ａや縦枠１３の躯体取付片１３ａが時計回りに回転しようとする力が生じるが、上枠９の上面の時計回りの回転を上枠当接片２１ａで抑えるとともに、縦枠１３の外周面の時計回りの回転を縦枠当接片２５ａで抑え、さらに、上記の力を、上枠外側補強材２１の躯体取付片２１ｂ、上枠内側補強材２３の躯体取付片２３ｂ及び縦枠外側補強材２５の躯体取付片２５ｂを通じて躯体４に直接伝えることができるので、回転しようとする力の抵抗となって、外壁や木額縁に頼らずとも、サッシ単体で耐風圧性を向上させることができる。また、上枠９の障子召合せ位置Ｅの室内外両側に上枠外側補強材２１と上枠内側補強材２３を設けているため、効率的に耐風圧性を向上させることができる。
【００２０】
図１に示すように、上木額アングル４３は、上枠９の室内側面に取り付け、上木額縁１５は上木額アングル４３に取り付けることで、上木額縁１５で上枠内側補強材２３を隠しているから、意匠性が良い。
図１に示すように、上枠９の躯体取付片９ａに上枠外側補強材２１の躯体取付片２１ｂを重合して第２上枠ねじ４１ｂで上躯体４ａに固定しているから、上枠９の取付強度を高めることができる。
上枠内側補強材２３の上枠取付片２３ａは、上木額アングル４３の上枠固定片４３ａに重ねて上枠固定ねじ４７ａで一緒に固定しているから、作業性が良い。
【００２１】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７〜図９を参照して、第２実施の形態にかかる半外付サッシ６１について説明する。
半外付サッシ６１は、第１実施の形態にかかる外付サッシ１と異なり、枠７の一部が躯体に呑み込まれた構造となっている。
また、この第２実施の形態では、上述した上枠外側補強材２１及び縦枠外側補強材２５がなく、図９に示すように、上枠内側補強材２３及び縦枠内側補強材２６のみを設けてあることが第１実施の形態と主に異なっている。
図７に示すように、上枠９には、室内側面よりも室外側に躯体取付片９ａが設けてあり、躯体取付片９ａは上躯体４ａの室外側壁に第１上枠固定ねじ４１ａで固定している。
上枠９と上躯体４ａに固定する上枠内側補強材２３及び上木額アングル４３の取り付けは第１実施の形態と同様である。
図８に示すように、縦枠１３の躯体取付片１３ａは、室内外方向の略中間の位置で外周側に突設して、縦躯体４ｃにねじ６２で固定している。また、縦枠１３には室内側突出片１３ｂが設けてあり、この室内側突出片１３ｂに、縦木額アングル５３の枠取付片５３ａと縦枠内側補強材２６の縦枠取付片２６ａを重ねて縦枠固定ねじ５７で固定し、縦枠内側補強材２６の躯体取付片２６ｂを躯体固定ねじ５８で縦躯体４ｃに固定している。縦木額アングル５３の額縁取付片５３ｂは、縦額縁１９の内周側面に額縁固定ねじ５９で固定している。
尚、本実施の形態では、縦枠内側補強材２６には図４に示す外付サッシ１の上枠内側補強材２３を兼用しているので、図４には縦枠内側補強材２６に対応する部分の符号をかっこ書きで示すこととする。
【００２２】
図７及び図８に示すように、この第２実施の形態によれば、上枠９は障子の召合せ框合わせ位置Ｅに上枠内側補強材２３を上躯体（躯体４）４ａに取り付けるとともに、縦枠１３は上下方向中間部に縦枠内側補強材２６を縦躯体（躯体４）４ｃに取り付けることで、半外付サッシ６１に正圧が掛かった場合は、上枠９の第１上枠固定ねじ４１ａ部分及び縦枠１３の躯体固定ねじ６２を支点として上枠９の躯体取付片９ａや縦枠１３の躯体取付片１３ａが反時計回りに回転しようとする力が生じるが、その力を、上枠内側補強材２３の躯体取付片２３ｂ及び縦枠内側補強材２６の躯体取付片２６ｂを通じて躯体４に直接伝えることができるので、回転しようとする力の抵抗となって、外壁や木額縁に頼らずとも、サッシ単体で耐風圧性を向上させることができる。また、半外付サッシ６１に負圧が掛かった場合は、上枠９の第１上枠固定ねじ４１ａ及び縦枠１３の躯体固定ねじ６２を支点として上枠９の躯体取付片９ａや縦枠１３の躯体取付片１３ａが時計回りに変形しようとする力が生じるが、その力を、上枠内側補強材２３の躯体取付片２３ｂ及び縦枠内側補強材２６の躯体取付片２６ｂを通じて躯体４に直接伝えることができるので、回転しようとする力の抵抗となって、外壁や木額縁に頼らずとも、サッシ単体で耐風圧性を向上させることができる。なお、半外付サッシ６１は、上枠９や縦枠１３の一部が上躯体４ａ及び縦躯体４ｃ等に呑み込まれた構造となっているので、半外付サッシ６１に正圧や負圧が掛かった場合、その呑み込まれた部分から上枠内側補強材２３や縦枠内側補強材２６を通じて躯体４に荷重が直接伝わり易く、第１実施の形態である外付サッシ１に比べて、補強材の取り付け数を抑えることができる。
【００２３】
上木額アングル４３は、上枠９の室内側面に取り付けられ、上木額縁１５は、上木額アングル４３に取り付けて、上木額縁１５で上枠内側補強材２３を隠しているから、意匠性が良い。  
同様に、縦木額アングル５３は、縦枠１３の室内側突出片１３ｂに取り付けて、縦木額縁１９は、縦木額アングル５３に取り付けて、縦木額縁５３で縦枠内側補強材２６を隠しているから、意匠性が良い。  
上枠内側補強材２３の上枠取付片２３ａは、上木額アングル４３の上枠固定片４３ａに重ねて上枠固定ねじ４７ａで一緒に上枠９に固定しているから、作業性が良い。
縦枠内側補強材２６は上枠内側補強材２３と同じ構成であり、上枠内側補強材２３を兼用しているから、部品種類を少なくできる。  
【００２４】
次に、図１０を参照して、その他の実施の形態について説明する。図１０は、上述した第１実施の形態の外付サッシ１及び第２実施の形態の半外付サッシ６１と共にその他の各種の窓における上枠外側補強材２１と、上枠内側補強材２３と、縦枠外側補強材２５と、縦枠内側補強材２６との取り付け位置を示している。  
外付サッシ１では、第１実施の形態にかかる引き違いサッシの他に、外動片引きサッシ（第３実施の形態）や４枚建サッシ（第４実施の形態）の例を示している。いずれも上枠９の障子召合せ位置には、上枠外側補強材２１と上枠内側補強材２３とを設けてこれらで上枠９を挟み込んで躯体に固定してあり、縦枠１３は上下方向中間位置に設けた縦枠外側補強材２５で躯体４に固定している。  
半外付サッシ６１では、第２実施の形態にかかる引違いサッシの他に、外動片引きサッシ（第５実施の形態）や４枚建サッシ（第６実施の形態）においても上枠９の障子召合せ位置にもうけた上枠内側補強材２３で躯体４に固定してあり、縦枠１３は上下方向中間位置に設けた縦枠内側補強材２６で躯体４に固定している。
【００２５】
本発明は、上述した実施の形態に限らず、本発明の要旨を逸脱しない範囲で種々変形可能である。  
例えば、上枠内側補強材２３は上枠９に上木額アングル４３と共に取り付けたが、上木額アングル４３を付けないで取り付けても良い。同様に、縦枠内側補強材２６も縦木額アングル５３を付けないで取り付けても良い。木額アングル４３、５３を付けないで固定する場合には、上枠内側補強材２３や縦木額アングル５３は、図４に示す形状に限らず、図１１に示すように、ねじ挿通孔を長孔として、３個形成したものを用いても良いし、ねじ挿通孔の形状や数は限定されない。同様に、上枠外側補強材２１及び縦枠外側補強材２５もねじ挿通孔の形状や数は限定されない。
第１実施の形態にかかる外付サッシ１において、上枠外側補強材２１及び上枠内側補強材２３は、障子の召合せ位置Ｅに加えて、更に他の位置に設けても良いし、縦枠外側補強材２５も縦枠１３の上下方向中間部に加えて、更に縦枠１３の他の位置に設けて良いし、縦枠１３に縦枠内側補強材２６を加えて設けても良い。
第２実施の形態にかかる半外付サッシ６１において、障子の召合せ位置Ｅに設ける上枠内側補強材２３に加えて、更に他の位置に上枠内側補強材２３を設けても良いし、加えて上枠外側補強材２１を設けて良い。縦枠内側補強材２５も縦枠１３の上下方向中間部に加えて、更に縦枠１３の他の位置に設けて良いし、縦枠外側補強材２５を加えて設けても良い。
第１実施の形態にかかる外付サッシ１及び第２実施の形態にかかる半外付サッシ６１は、ビル用サッシに限らず、住宅用サッシであっても良く、躯体４は鋼製に限らず、木製であっても良い。
上木額アングル４３、下木額アングル５１及び縦木額アングル５３はそれぞれ長尺であっても良いし、短尺であっても良い。
【符号の説明】
【００２６】
１    外付サッシ
３    外障子
５    内障子
７    枠
９    上枠
９ａ  躯体取付片
１３  縦枠
１３ａ  躯体取付片
２１  上枠外側補強材
２１ａ  上枠当接片
２１ｂ  躯体取付片
２３  上枠内側補強材
２３ａ  上枠取付片
２３ｂ  躯体取付片
２５  縦枠外側補強材
２５ａ  縦枠当接片
２５ｂ  躯体取付片
２６  縦枠内側補強材
２６ａ  縦枠取付片
２６ｂ  躯体取付片
６１    半外付サッシ
Ｅ    障子の召合せ位置
【図１】
2018193727.tif 000003
【図２】
2018193727.tif 000004
【図３】
2018193727.tif 000005
【図４】
2018193727.tif 000006
【図５】
2018193727.tif 000007
【図６】
2018193727.tif 000008
【図７】
2018193727.tif 000009
【図８】
2018193727.tif 000010
【図９】
2018193727.tif 000011
【図１０】
2018193727.tif 000012
【図１１】
2018193727.tif 000013